(57)【要約】【課題】  リアクトル装置の小型化、省設置スペースを実現できるインバータ装置を提供する。【解決手段】  電子回路を内蔵したインバータ装置本体２と、インバータ装置本体２を囲む本体ケース３と、本体ケース３の内部の一端に設けられた端子部とを有するインバータ装置において、本体ケース３の端子部側の一端に、端子保護カバーからなるリアクトル収納体９を着脱自在に取り付け、リアクトル収納体９内に、端子部と電気的に接続された直流リアクトル６を配置する構成とする。また、必要に応じて、リアクトル収納体９にリアクトル用冷却ファン７やヒートシンク１１を配置する。【選択図】        図１
2007181316.tif 000002
【特許請求の範囲】
【請求項１】
電子回路を内蔵したインバータ装置本体と、前記インバータ装置本体を囲む本体ケースと、前記本体ケースの内部の一端に設けられた端子部とを有するインバータ装置において、
前記本体ケースの端子部側の一端に、リアクトル収納体を着脱自在に取り付け、前記リアクトル収納体内に、前記端子部と電気的に接続された直流リアクトルを配置したことを特徴とするインバータ装置。
【請求項２】
前記リアクトル収納体が、インバータ装置の端子部の傍らに取り付けられている端子保護カバーであることを特徴とする請求項１記載のインバータ装置。
【請求項３】
前記リアクトル収納体に取付け足等を設け、自立盤として構成したことを特徴とする請求項１に記載のインバータ装置。
【請求項４】
前記リアクトル収納体内に、リアクトル用冷却ファンを具備したことを特徴とする請求項１に記載のインバータ装置。
【請求項５】
前記リアクトルに、リアクトル用ヒートシンクを取り付けたことを特徴とする請求項１記載のインバータ装置。
【請求項６】
前記本体ケースに、本体用ヒートシンクと本体用冷却ファンを取り付け、前記本体用冷却ファンで、リアクトル用ヒートシンクも冷却することを特徴とする請求項６記載のインバータ装置。
【発明の詳細な説明】
【技術分野】
【０００１】
本発明は、インバータ装置に関するもので、特に、外付け接続されるリアクトル装置に関するものである。
【背景技術】
【０００２】
インバータ装置は、入力力率改善策や高周波対策として、従来から直流リアクトルからなるリアクトル装置をインバータ本体に内蔵したり、オプションとしてインバータ装置外に外付けしたりしている（例えば、特許文献１参照）。
図４は、リアクトル装置をオプションとして、インバータ装置外に外付けした例を示している。インバータ装置１Ａは、電子回路等を内蔵したインバータ本体２Ａと、本体ケース３Ａと、前記本体ケース３Ａの内部の一端に設けられた端子部４Ａとを有している。インバータ装置外に外付けされるリアクトル装置５Ａは、例えば直流リアクトル６Ａとリアクトル用冷却ファン７Ａとからなり、前記端子部４Ａに接続リード線８Ａで電気的に接続され、インバータ装置１Ａとは別個に設置される。
【特許文献１】特開平９−２６１９７３号公報
【発明の開示】
【発明が解決しようとする課題】
【０００３】
しかしながら、このような従来技術においては、次のような問題がある。
（１）従来の直流リアクトルを外付けしたインバータ装置は、設置場所や配線により設置スペースを大きく確保する必要がある。また、設置場所によっては直流リアクトル専用の冷却ファンが必要となっていて、インバータ単体は小型化されているが全体としては大きくなってしまう。
（２）直流リアクトルをインバータ本体に内蔵したインバータ装置は、概観上もすっきりし、直流リアクトルの接続手間も必要がないが、直流リアクトルを必要としない仕様のときは装置内のスペースもリアクトル装置も無駄になる。
本発明は、このような問題を解決するためになされたもので、リアクトル装置の小型化、省設置スペースを実現できるインバータ装置を提供することを目的とするものである。
【課題を解決するための手段】
【０００４】
上記問題を解決するため、本発明は、次のように構成したものである。
請求項１に記載の発明は、電子回路を内蔵したインバータ装置本体と、前記インバータ装置本体を囲む本体ケースと、前記本体ケースの内部の一端に設けられた端子部とを有するインバータ装置において、前記本体ケースの端子部側の一端に、リアクトル収納体を着脱自在に取り付け、前記リアクトル収納体内に、前記端子部と電気的に接続された直流リアクトルを配置したことを特徴とするものである。
請求項２に記載の発明は、前記リアクトル収納体が、インバータ装置の端子部の傍らに取り付けられている端子保護カバーであることを特徴とするものである。
請求項３に記載の発明は、前記リアクトル収納体に取付け足等を設け、自立盤として構成したことを特徴とするものである。
請求項４に記載の発明は、前記リアクトル収納体内に、リアクトル用冷却ファンを具備したことを特徴とするものである。
請求項５に記載の発明は、前記リアクトルに、リアクトル用ヒートシンクを取り付けたことを特徴とするものである。
請求項６に記載の発明は、前記本体ケースに、本体用ヒートシンクと本体用冷却ファンを取り付け、前記本体用冷却ファンで、リアクトル用ヒートシンクも冷却することを特徴とするものである。
【発明の効果】
【０００５】
本発明によれば、次のような効果がある。
（１）請求項１，２の発明によれば、リアクトル収納体等からなるリアクトル装置の設置スペースを、省スペース化することができる。またリアクトル装置を、本体ケースの端子部側に密着取り付けして、インバータ装置と一体化することが可能となり、しかも、インバータ装置のサイズアップを押さえてコンパクトにまとめることができる。
（２）請求項３の発明によれば、リアクトル収納体を自立盤として構成することができるので、強度的にしっかりとした取付けができる。
（３）請求項４，５の発明によれば、直流リアクトルを、リアクトル収納体内で効果的に冷却することができる。
（４）請求項６の発明によれば、インバータ本体用とリアクトル用の冷却ファンを兼用して、本体用ヒートシンクとリアクトル用ヒートシンクを同じ冷却ファンで同時に冷却することができるので、インバータ装置をコンパクトに、かつ低コストに構成することができる。
【発明を実施するための最良の形態】
【０００６】
以下、本発明の実施例を図に基づいて説明する。
【実施例１】
【０００７】
図１は、本発明の第１の実施例を示す図で、本発明にかかるリアクトル装置をインバータ装置の本体ケース下部へ、着脱自在に密着取り付けした使用状態を示す斜視図である。
図１において、１はインバータ装置で、インバータ装置本体２と、前記インバータ装置本体２を囲む本体ケース３と、前記本体ケース３の下部側に設けられた端子保護カバーからなるリアクトル収納体８内に直流リアクトル６等を具備してユニット化したリアクトル装置５とを備えている。前記リアクトル装置５は、前記リアクトル収納体９内に、着脱容易に備えられている。
このようにインバータ装置１の一部である端子保護カバーをリアクトル収納体９として用い、このリアクトル収納体９内にリアクトル装置５を着脱自在に配置することにより、インバータ装置１全体のサイズアップなしにリアクトル装置５を配置することができる。また、直流リアクトル６が不要な仕様のときは、簡単に取り外すことができる。
また、リアクトル装置５に取付け足１０を設置することにより、自立盤として構成することもできる。
【実施例２】
【０００８】
図２は、本発明の第２の実施例を示す図で、本発明にかかるリアクトル装置内に直流リアクトルを冷却するリアクトル用ファンを着脱自在に備えた状態を示す斜視図である。
この第２の実施例においては、直流リアクトル６等を具備してユニット化したリアクトル装置５を、インバータ装置１の本体ケース３の下部へ着脱自在に密着取り付けして備えている。また、前記リアクトル装置５内には、リアクトル用冷却ファン７を備えている。
このようにインバータ装置１の一部である端子保護カバーをリアクトル収納体９として用い、このリアクトル収納体９内に、直流リアクトル６とリアクトル用冷却ファン７を配置することにより、インバータ装置１全体のサイズアップなしに、より高性能なリアクトル装置５を配置することができる。
【実施例３】
【０００９】
図３は、本発明の第３の実施例を示す図で、本発明にかかるリアクトル装置内に直流リアクトルを冷却するリアクトル用ヒートシンクを備えた状態を示す斜視図である。
この第３の実施例においては、直流リアクトル５等を具備してユニット化したリアクトル装置５を、インバータ装置１の本体ケース３の下部へ着脱自在に密着取り付けして備えている。また、前記リアクトル装置５内には、リアクトル用ヒートシンク１１を備えている。
前記リアクトル用ヒートシンク１１のフィン部１１ａはリアクトル収納体９の外部に出ており、インバータ装置１の本体用冷却ファン（図示せず）によって同時に冷却することができる。
このように直流リアクトル６にリアクトル用ヒートシンク１１を取り付け、インバータ装置１の本体用冷却ファン（図示せず）により、インバータ装置本体２と直流リアクトル６を同時に冷却することにより、第２の実施例で示したリアクトル冷却用ファン７も不必要となる。また、フィン部１１ａはインバータ装置１の冷却通風部分にあるため、インバータ装置１全体のサイズアップなしにリアクトル装置５を配置することができる。
なお、本発明においては、リアクトル収納体を、別体のユニットケースで構成し、インバータ装置の端子部の傍らに着脱自在に取り付けるようにしてもよいことは言うまでもない。
【図面の簡単な説明】
【００１０】
【図１】本発明の第１の実施例を示す図で、本発明にかかるリアクトル装置をインバータ装置の本体ケース下部へ、着脱自在に密着取り付けした使用状態を示す斜視図である。
【図２】本発明の第２の実施例を示す図で、本発明にかかるリアクトル装置内に直流リアクトルを冷却するリアクトル用ファンを着脱自在に備えた状態を示す斜視図である。
【図３】本発明の第３の実施例を示す図で、本発明にかかるリアクトル装置内に直流リアクトルを冷却するリアクトル用ヒートシンクを備えた状態を示す斜視図である。
【図４】従来技術におけるインバータ装置を示す、リアクトル装置を配置したときの斜視図である。
【符号の説明】
【００１１】
１，１Ａ      インバータ装置
２，２Ａ      インバータ装置本体
３，３Ａ      本体ケース
４Ａ      端子部
５，５Ａ      リアクトル装置
６，６Ａ      直流リアクトル
７，７Ａ      リアクトル用冷却ファン
８Ａ    接続リード線
９      リアクトル収納体（端子保護カバー）
１０      取付け足
１１      リアクトル用ヒートシンク
１１ａ    フィン部
【図１】
2007181316.tif 000003
【図２】
2007181316.tif 000004
【図３】
2007181316.tif 000005
【図４】
2007181316.tif 000006